(57)【特許請求の範囲】
【請求項１】
基部から上方に立設された一対の支持部材を備えた什器本体の前面にディスプレイを取り付けてなるディスプレイ支持什器であって、
前記支持部材の前面における上下方向に設けた複数の取り付け部と、
前記支持部材の間を閉塞するように前記支持部材の前面と裏面に取り付けることで内部に前記ディスプレイの配線を挿通させる配線挿通空間が形成された複数のパネル体と、
前記ディスプレイの配線を接続すると共に前記複数の取り付け部のいずれかに選択的に取り付けるコンセントユニットと、を備え、
上下の前記複数のパネル体の間に前記配線挿通空間に連通する複数の開口部が所定間隔で形成され、前記複数の開口部のいずれかの前方に前記コンセントユニットを選択的に設けたことを特徴とするディスプレイ支持什器。
【請求項２】
前記支持部材には上下方向に所定間隔をおいて複数の係止孔を形成し、
前記コンセントユニットに設けた係止爪部を前記係止孔のいずれかに係合させることで、前記支持部材の取り付け部に前記コンセントユニットを取り付けるようにした請求項１に記載されたディスプレイ支持什器。
【発明の詳細な説明】
【技術分野】
【０００１】
本発明は、オフィスや公共施設等の執務室や会議室等で使用されるディスプレイ支持什器に関する。
【背景技術】
【０００２】
一般にオフィスや公共施設等の集会室や執務室や会議室等においては、ディスプレイを所定の高さに支持するためのディスプレイ支持什器が多く用いられている。こうしたディスプレイ支持什器は、特許文献１に記載されたように、床面に載置された脚体と、脚体の中央から上方に立設された支柱等の基体部とで什器本体を構成し、什器本体の上方の前面に支持金具を介してディスプレイを取り付けている。そのため、出席者や執務者が見やすい高さ位置にディスプレイを安定的かつ強固に支持できる。
【０００３】
また、このようなディスプレイ支持什器は、デスクやテーブル等の天板を基体部に設置してパソコンやリモートコントローラ等の電子機器を載置し、ディスプレイと組み合わせて使用するものが多い。そのため、特許文献２，３，４等により、天板で使用される電子機器とディスプレイを接続するケーブルや、ディスプレイや電子機器に電力を供給する電源ケーブル等をディスプレイ支持什器の基体部内に収容して外観上の見栄えをよくしている。
【先行技術文献】
【特許文献】
【０００４】
【特許文献１】特許第４５６４３９１号公報
【特許文献２】特許第４２５０２９５号公報
【特許文献３】特開２０１０−１０７７４５号公報
【特許文献４】特開２０１０−１０７７４６号公報
【発明の概要】
【発明が解決しようとする課題】
【０００５】
しかしながら、特許文献２，３，４に記載されたディスプレイ支持什器では、基体部内に配線を収容する機能を有しているにすぎないため、別途電気を供給するコンセントを設ける必要がある場合には、テーブルタップを床面等に設ける必要があり、配線時の使い勝手や外観上の見栄えが悪いという問題を有していた。
また、ディスプレイ支持什器の配線収容部はディスプレイの下方位置に設けているため、ディスプレイの取り付け状態における配線設置の作業性が非常に悪いという問題も有していた。
【０００６】
本発明は、このような事情に鑑みてなされたもので、ディスプレイの配線との接続が容易で使い勝手が良く、しかも外観上の見栄えが良好なディスプレイ支持什器を提供することを目的とする。
【課題を解決するための手段】
【０００７】
本発明によるディスプレイ支持什器は、基部から上方に立設された一対の支持部材を備えた什器本体の前面にディスプレイを取り付けてなるディスプレイ支持什器であって、支持部材の前面における上下方向に設けた複数の取り付け部と、前記支持部材の間を閉塞するように前記支持部材の前面と裏面に取り付けることで内部に前記ディスプレイの配線を挿通させる配線挿通空間が形成された複数のパネル体と、前記ディスプレイの配線を接続すると共に前記複数の取り付け部のいずれかに選択的に取り付けるコンセントユニットと、を備え、上下の前記複数のパネル体の間に前記配線挿通空間に連通する複数の開口部が所定間隔で形成され、前記複数の開口部のいずれかの前方に前記コンセントユニットを選択的に設けたことを特徴とする。
本発明によるディスプレイ支持什器によれば、支持部材におけるコンセントユニットの取り付け部を上下方向に複数設けているから、ディスプレイの高さや長さ、或いは棚板や別テーブル等の他の部材や電子機器等との位置関係で、使用しやすい高さの取り付け部を選択してコンセントユニットを装着できるため、コンセントユニットとディスプレイや他の電子機器等との配線の接続が容易である上に、支持部材への配線の設置作業を容易に行うことができる。
また、一対の支持部材の間の前面と裏面に複数のパネル体を上下に互いに離間させて取り付けることによってパネル体間に配線挿通空間を形成したため、配線挿通空間を簡易に構成することができる。しかも、上下のパネル体の間に形成した開口部を通して配線を配線挿通空間内に容易に設置することができる。また、パネル体を取り外すことによって配線時の作業空間を大きく確保することができて、配線作業における作業性を良好にすることができる。
【０００８】
しかも、複数の取り付け部に配線挿通空間に連通する開口部を設けたことで、いずれかの取り付け部にコンセントユニットを取り付けた場合に、コンセントユニットの配線を開口部を通して配線挿通空間に配設できるため、配線設置の作業性が良く、しかもコンセントユニットの配線が外部に露出しないので外観の見栄えがよい。
【０００９】
また、支持部材には上下方向に所定間隔をおいて複数の係止孔を形成し、コンセントユニットに設けた係止爪部を係止孔のいずれかに係合させることで、支持部材の取り付け部にコンセントユニットを取り付けるようにしてもよい。
複数の取り付け部のいずれかを選択してコンセントユニットを取り付ける際、支持部材に形成した複数の係止孔のいずれかに取り付け部を通してコンセントユニットの係止爪部を係合させて取り付けることができるので、取り付け作業が容易である。そして、コンセントユニットの高さの変更を容易に行え、簡単な構成で確実にコンセントユニットを支持部材に取り付けることができる。
【発明の効果】
【００１１】
本発明によるディスプレイ支持什器によれば、支持部材におけるコンセントユニットの取り付け部を上下方向に複数設けているから、ディスプレイの高さや長さ、或いは棚板や別テーブル等の他の部材や電子機器等との位置関係で、使用しやすい高さの取り付け部を選択して所望の位置にコンセントユニットを装着できる。そのため、コンセントユニットとディスプレイや他の電子機器等との配線の接続が容易で作業性が良くなり、什器としての使い勝手を良好にすることができる。
【図面の簡単な説明】
【００１２】
【図１】本発明の実施形態によるディスプレイスタンドの正面図である。
【図２】図１に示すディスプレイスタンドの側面図である。
【図３】ディスプレイスタンドからディスプレイとコンセントユニットと棚板を取り外した支持スタンドと、閉塞パネルを分離した正面図である。
【図４】図３に示す支持スタンドの側面図である。
【図５】支柱へのコンセントユニットの取り付け構造を水平断面で示すディスプレイスタンドの要部平面図である。
【図６】図５に示す支柱へのコンセントユニットの取り付け構造を示す部分拡大断面図である。
【図７】図１に示すディスプレイスタンドの閉塞パネル間の開口部にコンセントユニットを設置した構成を示す要部拡大図である。
【図８】コンセントユニットを示すものであり、（ａ）は平面図、（ｂ）は正面図である。
【図９】コンセントユニットを補助支柱に取り付けた状態を示す部分縦断面図である。
【図１０】第一変形例によるコンセントユニットの補助支柱への取り付け構造を示す説明図である。
【図１１】第二変形例によるコンセントユニットの補助支柱への取り付け構造を示す説明図である。
【発明を実施するための形態】
【００１３】
以下、本発明の実施形態によるディスプレイスタンド１を、図１から図９を参照して説明する。
本実施形態によるディスプレイスタンド１は、オフィスや公共施設の執務室や会議室等で用いられるものである。図１から図５に示すディスプレイスタンド１において、床面上に設置される脚体２の上部には一対の支柱３が上方に向かって平行に配設されており、支柱３の上部と下部には梁部４ａ、４ｂが連結されている。支柱３は例えば断面角筒状に形成されており、その上部にはディスプレイ５が取り付けられ、その下方には棚板６が取り付けられている。
なお、本実施形態によるディスプレイスタンド１において、図１及び図２に示すディスプレイ５を取り付ける側の面を前面または表面といい、これに対向する側の面を裏面というものとする。
【００１４】
図１及び図５に示す脚体２は、例えば略Ｖ字状に湾曲形成された一対の脚部材２ａが連結部材２ｂによって連結されており、各脚部材２ａに支柱３がそれぞれ立設されている。各脚部材２ａの端部下端にはキャスターが設置され、支柱３の裏面側下端の脚体２上に配線収容箱が設けられている。
また、図３において、対向する一対の支柱３の前面（及び対向する裏面）にはディスプレイ５を取り付けるための係止孔として第一スリット３ａがその上部に所定間隔で上下方向に配設されている。ディスプレイ５の裏面側に設けたブラケット７には第一スリット３ａに取り付けるための係止爪部７ａが設けられている。
一対の支柱３の内面には、図３及び図６に示すように、断面コの字状の補助支柱８がねじ等で支柱３に固定されている。補助支柱８も支柱３と同様な長さに設定されている。
【００１５】
そして、対向する補助支柱８には閉塞パネル９が所定間隔を開けて上下方向に複数枚取り付けられており、本実施形態では４枚の閉塞パネル９がそれぞれ間隙を開けて上下方向に配設されている。閉塞パネル９間の間隙を開口部１０という。閉塞パネル９は補助支柱８の前面側だけでなく裏面側にも同様に配設されている。そして、前面と裏面の閉塞パネル９間にはディスプレイ５等の配線を挿通させる配線挿通空間１３が上下方向に形成され、この配線挿通空間１３は前面と裏面に設けた複数の開口部１０に連通している。
また、図７に示すように、複数形成された開口部１０の１つには、コンセント１１ａやＬＡＮコネクタ１１ｂ等を配列させたコンセント部材１１を備えたコンセントユニット１２が取り付けられている。
【００１６】
そして、補助支柱８には、図３及び図６に示すように断面コの字状の前面側に係止孔１４と第二スリット１５が形成され、上下方向に複数配列されている。係止孔１４はスリット状であり、コンセントユニット１２を取り付けるものであって例えば補助支柱８の外側に配設されている。第二スリット１５は閉塞パネル９を取り付ける係止孔を構成するものであり、補助支柱８の例えば内側に配設されている。しかも、これら係止孔１４と第二スリット１５は補助支柱８の前面と裏面に対称に形成されており、閉塞パネル９だけでなく、コンセントユニット１２も前面と裏面に取り付け可能である。
また、係止孔１４の間隔は第二スリット１５より短く且つ例えば等間隔であり、コンセントユニット１２は開口部１０だけでなく閉塞パネル９の上にも取り付け可能である。一方、第二スリット１５は、閉塞パネル９の大きさに応じて例えば四隅に設けた係止爪９ａを取り付け可能に設置されていればよく(図６、図９参照)、本実施形態では各閉塞パネル９の長さの違いに応じて不等間隔に形成されている。
【００１７】
また、ディスプレイスタンド１において、棚板(天板)６は、例えばディスプレイ５を操作するためのパソコンやリモコンやＤＶＤプレーヤー等を載置するためのものである。棚板６は、一対の補助支柱８の係止孔１４に取り付ける係止爪部１７ａを備えた一対のブラケット１７と、ブラケット１７の上に載置されたテーブル１８とを備えている。
【００１８】
次にコンセントユニット１２の構成と補助支柱８への取り付け構造について図７から図９により説明する。
コンセントユニット１２は例えば略直方体形状を有しており、上述のようにディスプレイ５やパソコン等の配線のプラグや端子等を差し込むコンセント１１ａやＬＡＮコネクタ１１ｂ等を前面に配列させたコンセント部材１１と、コンセント部材１１を支持して補助支柱８の係止孔１４に選択的に取り付けできるブラケット２０とを有している。
ブラケット２０は、コンセント部材１１を支える底部２０ａと、コンセント部材１１の両側面１１ｃに対向する両側部２０ｂと、各側部２０ｂから略Ｌ字形状に曲げられていて先端部を係止孔１４に差し込んで係止させるための係止爪部２０ｃとを有している。そして、ブラケット２０の底部２０ａと側部２０ｂで支持されたコンセント部材１１は係止爪部２０ｃによって閉塞パネル９や支柱３より前方（外側）に突出して支持されている。
【００１９】
図９を中心にコンセント部材１１の両側面１１ｃとブラケット２０との係合構造の一例について説明すると、コンセント部材１１の各側面１１ｃには裏面側の一端から前面側に延びて途中で止まる２条の保持溝２１が形成され、保持溝２１の間の前面側には首振り部材２２ａで弾性が付与された凸部２２が舌片状に突出して形成されている。コンセント部材１１の側面１１ｃに対向するブラケット２０の側部２０ｂには貫通孔２４が形成され、この貫通孔２４の上下部には保持溝２１に嵌入して相対摺動可能な一対の凸片２５が形成され、貫通孔２４の先端縁部２４ａには凸部２２が係合可能としている。
そのため、ブラケット２０の両側部２０ｂ間にコンセント部材１１を配設してその裏面側を水平方向に挿入し、保持溝２１に凸片２５を挿入して保持溝２１の突き当りまでコンセント部材１１を押し込む。すると、コンセント部材１１の凸部２２が両側部２０ｂに押されて弾性変形した後、貫通孔２４に落ち込み、凸片２５の保持溝２１への突き当り位置で貫通孔２４の先端縁部２４ａに当接して停止する。これによって、コンセント部材１１はブラケット２０の両側部２０ｂ間に係止保持される。
コンセント部材１１を取り外すには、舌片状の凸部２２をコンセント部材１１の内側に変形させることで貫通孔２４の先端縁部２４ａとの係合を解除することができる。これによって、コンセント部材１１をブラケット２０から取り外すことができる。
【００２０】
また、図９において、ブラケット２０の両側部２０ｂにそれぞれ設けた係止爪部２０ｃは、上下方向に突出する第一係止爪２０ｃａと下方に突出する第二係止爪２０ｃｂとを有している。コンセントユニット１２における第一係止爪２０ｃａの上向き爪を補助支柱８の係止孔１４内に挿入し、第一係止爪２０ｃａの上向き爪を係止孔１４の上縁に係止させつつブラケット２０を下方に向かって水平位置まで回転させて、第一係止爪２０ｃａ全体と第二係止爪２０ｃｂとをそれぞれ係止孔１４内に挿入し、第一係止爪２０ｃａの下向き爪と第二係止爪２０ｃｂを係止孔１４の下縁に係止させる。
これによって、コンセントユニット１２を補助支柱８に略直交させて係止保持できる。
なお、コンセントユニット１２のブラケット２０の係止爪部２０ｃの構成はディスプレイ５のブラケット７の係止爪部７ａや棚板６のブラケット１７の係止爪部１７ａにも用いられており、同様に第一スリット３ａや係止孔１４に係合させている。
【００２１】
本実施形態によるディスプレイスタンド１は上述の構成を備えており、次にディスプレイスタンド１の使用方法について説明する。
本実施形態によるディスプレイスタンド１では、コンセントユニット１２をディスプレイ５の下側で棚板６の上側に設置する。その際、図７に示すように、コンセントユニット１２は上下方向に配設された複数の閉塞パネル９の間の複数の開口部１０のいずれかを選択して設置できる。また、コンセントユニット１２は開口部１０だけでなく閉塞パネル９の上面に設置してもよい。
コンセントユニット１２の設置に際し、係止爪部２０ｃの第一係止爪２０ｃａの上向き爪を補助支柱８の係止孔１４内に挿入し、第一係止爪２０ｃａの上向き爪を係止孔１４の上縁に係止させつつブラケット２０を下方に向かって水平位置まで回転させて、第一係止爪２０ｃａ全体と第二係止爪２０ｃｂとをそれぞれ係止孔１４内に挿入し、第一係止爪２０ｃａの下向き爪と第二係止爪２０ｃｂを係止孔１４の下縁に係止させることができる。
【００２２】
そして、ディスプレイ５の配線は表裏面の閉塞パネル９間の配線挿通空間１３内を通して、コンセントユニット１２を設置した開口部１０の上方の開口部１０から前面に配線を出してコンセント部材１１のコンセント１１ａやＬＡＮコネクタ１１ｂ等に接続できる。その際、コンセントユニット１２は閉塞パネル９の前方に突出しているため、ディスプレイ５の下側に設置されていてもディスプレイ５が邪魔にならず、容易に差し込みできる。
また、棚板６にＤＶＤプレーヤーやパソコン等を設置した場合でも、配線をその上方に位置するコンセントユニット１２のコンセント部材１１のコンセント１１ａやＬＡＮコネクタ１１ｂ等に容易に接続できる。この状態で、作業者はディスプレイ５の表示画像等を説明する。
【００２３】
また、ディスプレイスタンド１をオフィスや公共施設等の執務室や会議室等で使用する場合、棚板６とは別にテーブル等を近傍に引き寄せて物品や資料等を載置して使用する場合がある。このような場合、棚板６やコンセントユニット１２を別テーブルの上側に位置させて使用することが好ましい。その場合、棚板６の使用に便利であり、別テーブルに電子機器等を載置してディスプレイ５等と関連して使用する場合でも、コンセントユニット１２に電子機器の配線を接続することができて便利である。
【００２４】
上述のように、本実施形態によるディスプレイスタンド１によれば、開口部１０はディスプレイスタンド１の上下方向に間隔を開けて複数配設したため、任意の開口部１０にコンセントユニット１２を装着することができる。この場合、いずれかの開口部１０にコンセントユニット１２を装着すれば、その配線を開口部１０を通して配線挿通空間１３内に延ばして収納できて外部から見えにくいので外観上の見栄えが良い。
また、コンセントユニット１２は開口部１０に限らず、閉塞パネル９上に重なる任意の高さ位置でも係止孔１４に取り付けることができ、コンセントユニット１２の設置高さの変更を容易に行える。
【００２５】
また、ディスプレイ５の下方位置に配設したコンセントユニット１２を、ディスプレイスタンド１の支柱３や閉塞パネル９等の什器本体の前面から前方に突出させて配設したため、コンセントユニット１２のコンセント１１ａやＬＡＮコネクタ１１ｂ等に配線のプラグやＬＡＮ配線の端子を装着する際に上部のディスプレイ５が影になったり邪魔になったりせず、装着時の作業性が良好である。
また、同様に棚板６の上側や下側にコンセントユニット１２を配設した場合でも、コンセントユニット１２が前方に突出しているために電子機器の配線のプラグやＬＡＮ端子等の装着が容易である。
【００２６】
しかも、ディスプレイスタンド１の表裏面に閉塞パネル９間の配線挿通空間１３に連通する開口部１０を設けたため、ディスプレイ５や棚板６上の電子機器の配線を前方から開口部１０を通して配線挿通空間１３内に収納して延設することができて、配線の設置作業が容易である上に、敷設後の外観上の見栄えが良好である。
また、補助支柱８に所定間隔で上下方向に複数の係止孔１４を設けて、コンセントユニット１２の第一係止爪２０ｃａの上向き爪を補助支柱８の係止孔１４内に挿入し、第一係止爪２０ｃａの上向き爪を係止孔１４の上縁に係止させつつブラケット２０を下方に向かって水平位置まで回転させて、第一係止爪２０ｃａ全体と第二係止爪２０ｃｂとをそれぞれ係止孔１４内に挿入し、第一係止爪２０ｃａの下向き爪と第二係止爪２０ｃｂを係止孔１４の下縁に係止させることができる。そのため、簡単な構成でありながら、確実にコンセントユニット１２を補助支柱８の複数の係止孔１４のいずれかに選択的に取り付けることができる。
しかも、配線のプラグや端子等をコンセント１１ａやＬＡＮコネクタ１１ｂ等の差込口から抜く際に、コンセント部材１１やコンセントユニット１２が外れることはない。
また、コンセントユニット１２は支柱３と閉塞パネル９の間に係止爪部２０ｃを挿入して係止孔１４に取り付ける構成であるため、外観上、コンセントユニット１２のブラケット２０の係止爪部２０ｃの各係止爪２０ｃａ，２０ｃｂが観察者から目視し難く、この点でもディスプレイスタンド１の見栄えが良い。
【００２７】
なお、本発明は上述の実施形態によるディスプレイスタンド１に限定されることはなく、本発明の要旨を変更しない範囲で適宜の変更や置換等が可能であり、これらはいずれも本発明に含まれる。以下に、本発明の変形例等について説明するが、上述した実施形態と同一または同様な部品や部材等には同一の符号を用いて説明を行う。
【００２８】
次に、本発明の実施形態のディスプレイスタンド１の変形例について図１０及び図１１により説明する。
図１０は第一変形例によるコンセントユニット１２を示すものである。このコンセントユニット１２では、補助支柱８の係止孔１４に取り付けられたブラケット２０において、対向する側部２０ｂとコンセント部材１１の側面１１ｃとを連結する回転軸２８を着脱可能に設け、これによってコンセント部材１１は回転軸２８を中心に角度θの範囲で上下に回動して傾斜保持可能とされている。なお、ブラケット２０に対するコンセント部材１１の俯仰角を調整する機構は他の公知の機構を適宜採用できる。
【００２９】
そして、回転軸２８の前方において、対向する側部２０ｂとコンセント部材１１の側面１１ｃとの一方、例えば側面１１ｃに凸部３３を設け、他方の対向する側部２０ｂに凸部３３を回動可能に支持するガイド溝３２を所定角度θの範囲に設けた。そして、凸部３３とガイド溝３２を互いに押圧することで、コンセント部材１１を任意の角度位置で係止させる。なお、ガイド溝３２に凸部３３を適宜位置で係止させる凹部を複数設けてもよい。
これによって、本第一変形例によるコンセントユニット１２は、ブラケット２０に対してコンセント部材１１をガイド溝３２の範囲内で任意の角度の仰角と伏角と水平角で固定できる。
【００３０】
本第一変形例によるコンセントユニット１２によれば、コンセントユニット１２を支柱３や閉塞パネル９の前方に突出させるだけでなく、コンセント部材１１に上向きの仰角を設定すれば、ディスプレイ５の配線のプラグを一層容易にコンセント部材１１に装着できる。また、棚板６の上側にコンセントユニット１２を設置した場合、コンセント部材１１を下向きに伏せ角を設定すれば、棚板６に設置した電子機器の配線のプラグを一層容易にコンセント部材１１に装着できる。
【００３１】
また、図１１は第二変形例によるコンセントユニット１２を示すものである。
このコンセントユニット１２では、ブラケット２０において、対向する側部２０ｂとコンセント部材１１の側面１１ｃとの一方に水平方向に延びるガイド溝３５を設け、他方にはガイド溝３５に沿って進退可能な凸部３６を嵌合させて、ガイド溝３５に沿って摺動可能とし、凸部３６はガイド溝３５の長手方向の両端の位置または任意の位置で係止するように設定した。これによって、ブラケット２０に対してコンセント部材１１を水平方向に進退させて適宜の突出位置で保持することができる。なお、凸部３６を保持すべきガイド溝３５の適宜位置に凹部を形成させて係止させるようにしてもよい。
また、上述した各変形例において、ブラケット２０に対するコンセント部材１１の揺動位置や進退位置を選択または調整する機構は、他の適宜の公知の機構を採用できる。
【００３２】
上述した実施形態では、コンセント部材１１をブラケット２０に取り付けた状態で、支柱３や閉塞パネル９の前方に突出させる構成を得られるが、本第二変形例によるコンセントユニット１２によれば、コンセント部材１１を更にその前方に突出させることができるため、ディスプレイ５や棚板６上の電子機器の突出位置に応じて、配線のプラグやＬＡＮコネクタ等を一層接続しやすくなる。
【００３３】
また、他の変形例としてコンセントユニット１２を補助支柱８に沿って上下方向に摺動可能に設置してもよく、この場合には補助支柱８には係止孔１４に代えてガイド溝を設け、コンセントユニット１２のブラケット２０にガイド溝に沿って摺動可能なスライド部材と、適宜位置でブラケット２０を補助支柱８に固定する押圧ボルト等を設ければよい。
【００３４】
なお、本実施形態によるディスプレイスタンド１では、各一対の支柱３と補助支柱８とで支持部材を構成するものとし、ディスプレイ５を支柱３の第一スリット３ａに取り付け、閉塞パネル９とコンセントユニット１２を補助支柱８の係止孔１４及び第二スリット１５を取り付けるようにした。
しかし、支持部材は、支柱３と補助支柱８の一方の部材で構成してもよく、この場合、支柱３または補助支柱８に各第一スリット３ａ、係止孔１４、第二スリット１５を上下方向に配列して形成し、ディスプレイ５、コンセントユニット１２、閉塞パネル９をそれぞれ取り付けるようにしてもよい。
【００３５】
また、開口部１０を形成する閉塞パネル９の数は４枚に限らず、適宜の複数枚を設置でき、上下の閉塞パネル９の間には配線挿通空間１３に連通する開口部１０を必要に応じて適宜設置すればよい。また、棚板６は必ずしも取り付ける必要はない。
また、本発明において、本実施形態や変形例によるディスプレイスタンド１はディスプレイ支持什器を構成する。脚体２は基部を構成し、閉塞パネル９はパネル体を構成する。また、コンセントユニット１２は、コンセント部材１１とブラケット２０を設けた構成に代えて、コンセント部材１１の裏面または側面１１ｃに係止爪部２０ｃを固定して構成してもよい。
【００３６】
また、係止爪部２０ｃは必ずしもＬ字状に形成する必要はなく、ストレート板等、適宜の形状を採用できる。
更に、上述した実施形態や各変形例では、コンセントユニット１２は支柱３や閉塞パネル９等の什器本体より前方に突出するように構成したが、必ずしも突出する必要はなく、開口部１０に閉塞パネル９と略面一に露出する程度に設置してもよい。
【符号の説明】
【００３７】
１  ディスプレイスタンド
２  脚体
３  支柱
３ａ  第一スリット
５  ディスプレイ
６  棚板
８  補助支柱
９  閉塞パネル
１０  開口部
１１  コンセント部材
１２  コンセントユニット
１４  係止孔
１５  第二スリット
２０  ブラケット
２０ｃ  係止爪部
２０ｃａ  第一係止爪
２０ｃｂ  第二係止爪
【図１】
0006478389.tif 000002
【図２】
0006478389.tif 000003
【図３】
0006478389.tif 000004
【図４】
0006478389.tif 000005
【図５】
0006478389.tif 000006
【図６】
0006478389.tif 000007
【図７】
0006478389.tif 000008
【図８】
0006478389.tif 000009
【図９】
0006478389.tif 000010
【図１０】
0006478389.tif 000011
【図１１】
0006478389.tif 000012